(57)【要約】      （修正有）【課題】食品密封収容袋を収容したまま開封しないで電子レンジ内に配置して加熱開始でき、それでいて袋の圧抜き部からの蒸気以外の袋内容物の流出を実用上差し支えない程度に抑制でき、或いは防止できる、便利な食品密封収容袋包装箱及びこれを採用した便利な食品密封収容袋包装体並びに該箱形成のための箱原板を提供する。【解決手段】上壁１１に破断用ラインＣ１１、Ｃ１２、Ｃ１３を形成するとともに左右の側壁１２，１３に側壁破断用ラインを形成し、それら破断用ラインと、前壁１１と下壁１４の境界ラインで囲まれた開封用部Ｄを提供している食品密封収容袋包装箱１。開封用部Ｄは、電子レンジ加熱で膨張する袋２により上下壁１１、１４間に加わる突っ張り力で破断用ラインが破断されて開封され、箱１を傾斜姿勢におき、袋２の圧抜き部２５を高位置におく。箱１に食品密封収容袋２を収容した包装体１００と箱１を形成するための箱原板。【選択図】図１
2013018501.tif 000002
【特許請求の範囲】
【請求項１】
電子レンジ加熱可能な食品を密封収容した、前記食品の加熱による内圧上昇により開封される圧抜き部を有する食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記上壁は、該上壁の前後端間の中間の部位、且つ、左右側端間の中間の部位に形成された、上壁後端側へ突出する山形状の中央破断用ライン、前記中央破断用ラインの左端から前記上壁の左側端の前記前壁寄りの部位へ傾斜して延びる左破断用ライン及び前記中央破断用ラインの右端から前記上壁の右側端の前記前壁寄りの部位へ傾斜して延びる右破断用ラインを有しており、
前記左側壁は、前記上壁の左破断用ラインの左端に続いて前記左側壁の前記前壁側且つ前記下壁側の角部へ延びる左側壁破断用ラインを有しており、
前記右側壁は、前記上壁の右破断用ラインの右端に続いて前記右側壁の前記前壁側且つ前記下壁側の角部へ延びる右側壁破断用ラインを有しており、
前記上壁の破断用ラインと、前記左右側壁の破断用ラインと、前記前壁と前記下壁の境界ラインで囲まれた開封用部であって、前記上下壁間に該上下壁間を押し広げようとする突っ張り力が加わることで前記各破断用ラインが破断されて開封される開封用部が形成されていることを特徴とする食品密封収容袋包装箱。
【請求項２】
前記上壁の破断用ライン及び前記左右側壁の破断用ラインからなる、連続する破断用ラインは、切断線と該切断線より短い点状破断用部を交互にライン状に配列して形成されている請求項１記載の食品密封収容袋包装箱。
【請求項３】
前記左右の各側壁の側壁破断用ラインより側壁後端側の部分に、該側壁と前記上壁との境界ラインと並行な側壁折れ曲がり変形補助ラインが形成されている請求項１又は２記載の食品密封収容袋包装箱。
【請求項４】
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部寄りの部位に前記食品の加熱による内圧上昇により開封される圧抜き部が形成されており、
前記食品密封収容袋包装箱は請求項１から３のいずれかに記載の包装箱であり、
前記食品密封収容袋は前記前辺部が前記包装箱の前壁側に向けられて該包装箱内に収容されていることを特徴とする食品密封収容袋包装体。
【請求項５】
請求項１記載の食品密封収容袋包装箱を形成するための、予め裁断された紙製の平坦な箱原板であり、平坦な状態において
前記中央及び左右の破断用ラインを含む前記上壁、
前記上壁の左側端に続き、前記左側壁破断用ラインを含む前記左側壁、
前記上壁の右側端に続き、前記右側壁破断用ラインを含む前記右側壁、
前記左側壁の左側端又は前記右側壁の右側端に続く前記下壁、
前記上壁の前端に続く第１の前壁用片、
前記下壁の前端に続く第２の前壁用片、
前記左右の各側壁の前端に続く前フラップ、
前記上壁の後端に続く第１の後壁用片、
前記下壁の後端に続く第２の後壁用片
前記左右の各側壁の後端に続く後ろフラップ及び
前記左右側壁のいずれか又は前記下壁に続く糊代片を含んでおり、
前記右側壁、前記上壁、前記左側壁、前記下壁及び前記糊代片を隣り合うものの境目で順次折り曲げるとともに前記糊代片を介して前記左右側壁のいずれかと前記下壁を接続し、前記前フラップをそれぞれ内側へ折り曲げ、該前フラップ上に前記第１及び第２の前壁用片を曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着して前記食品密封収容袋包装箱を形成することができることを特徴とする箱原板。
【請求項６】
前記上壁の破断用ライン及び左右側壁の破断用ラインからなる、連続する破断用ラインは、切断線と該切断線より短い点状破断用部を交互にライン状に配列して形成されている請求項５記載の箱原板。
【請求項７】
前記左右の各側壁の側壁破断用ラインより側壁後端側の部分に、該側壁と前記上壁との境界ラインと並行な側壁折れ曲がり変形補助ラインが形成されている請求項５又は６記載の箱原板。
【発明の詳細な説明】
【技術分野】
【０００１】
本発明は電子レンジ加熱可能な食品、例えば調理された、或いは半調理された食品を密封収容した食品密封収容袋を包装する包装箱及び前記食品密封収容袋を前記包装箱に収容した食品密封収容袋包装体に関する。本発明はさらに該包装箱を提供するための箱原板にも関係している。
【背景技術】
【０００２】
今日、マイクロ波透過可能な袋（通常、プラスチック袋）に密封収容された種々の電子レンジ加熱可能な食品、例えば既に調理された、或いは半調理された食品が市場に流通している。そのような食品密封収容袋は、電子レンジ内に配置して加熱すると、袋内食品が加熱され、蒸気が発生するので、袋破裂を防止するため、袋内圧が上昇してくると内圧により開封される圧抜き部が形成されている。
【０００３】
このような電子レンジ加熱可能な食品を密封収容した食品密封収容袋は、保管、運搬、展示、記載による種々の情報表示等のために包装箱で収容、包装されるのが一般的である。
【０００４】
また、今日では、包装箱に容れられた食品密封収容袋は包装箱ごと電子レンジ内に配置し、加熱することができるようになっているものもある。
そのような袋及び箱として次のようなものが見受けられる。
【０００５】
前記食品密封収容袋については、前記圧抜き部が袋のいずれかの端部に近い部位に設けられ、電子レンジ加熱にあたっては圧抜き部のある袋端部が反対側端部より高所に位置するように袋を傾けて電子レンジ内に配置すれば、加熱により圧抜き部が開封された場合でも開封された圧抜き部から袋内容物が流出して電子レンジ内を汚すなどの恐れはないとされているものである。
【０００６】
一方、包装箱については、その一部を開けることで前記食品密封収容袋の前記圧抜き部を露出させることができるとともに、開けた箱の一部を折り曲げて支持部とするなどして電子レンジ内に傾斜姿勢で配置でき、それにより袋を圧抜き部のある端部が他端部より高所に位置する傾斜状態で箱ごと電子レンジ内に配置することができるようにしたものである。
【０００７】
このような食品密封収容袋及び包装箱は通常その包装箱に食品密封収容袋を収容した食品密封収容袋包装体の態様で保管、運搬、展示、販売等されている。
【０００８】
このような包装体は例えば特開２００３−１７０９３０号公報、特許第４５２２７８２号公報に記載されている。
【先行技術文献】
【特許文献】
【０００９】
【特許文献１】特開２００３−１７０９３０号公報
【特許文献２】特許第４５２２７８２号公報
【発明の概要】
【発明が解決しようとする課題】
【００１０】
しかしながら、従来の食品密封収容袋包装体は、食品密封収容袋の内容物を電子レンジ加熱するために該袋を包装箱ごと電子レンジ内に配置する際には、単に包装箱を開封して電子レンジ内に配置すればよいのではなく、包装箱を指定された包装箱部位で、指定された手順に従って開封し、開けた箱の一部を折り曲げて支持部として、食品密封収容袋の圧抜き部のある端部が他端部より高所に位置する傾斜状態で電子レンジ内に配置しなければならず、その作業に慣れない消費者は戸惑うことがあり、消費者によっては煩わしく感じることもあったと思われる。
【００１１】
また、使用する包装箱によっては、開けられた包装箱の一部がその開けられた状態から復元方向に動き、その結果、食品密封包装袋の圧抜き部が袋の他の部分に対して、袋内容物の吹き出しを十分抑制できるほどに高所に配置されなくなる恐れがある。
【００１２】
本発明は、電子レンジ加熱可能な食品を密封収容した、前記食品の加熱による内圧上昇により開封される圧抜き部を有する食品密封収容袋を包装するための食品密封収容袋包装箱であって、該食品密封収容袋を収容したまま電子レンジ内に配置して該袋内食品を電子レンジ加熱することができ、その際、電子レンジ内への配置に先だって、換言すれば電子レンジ加熱に先だって開封しておく必要がなく、開封しないで電子レンジ内に配置して加熱開始でき、それでいて前記袋の圧抜き部からの蒸気以外の袋内容物の流出を実用上差し支えない程度に抑制でき、或いは防止できる、消費者にとって便利な食品密封収容袋包装箱を提供することを第１の課題とする。
【００１３】
また、本発明は、電子レンジ加熱可能な食品を密封収容した、前記食品の加熱による内圧上昇により開封される圧抜き部を有する食品密封収容袋を食品密封収容袋包装箱に収容した食品密封収容袋包装体であって、前記包装箱を開封することなく、そのまま電子レンジ内に配置して前記食品密封収容袋内の食品を電子レンジ加熱開始でき、それでいて、前記袋の圧抜き部からの蒸気以外の袋内容物の流出を実用上差し支えない程度に抑制でき、或いは防止できる、消費者にとって便利な食品密封収容袋包装体を提供することを第２の課題とする。
【００１４】
また、本発明は、本発明に係る食品密封収容袋包装箱を形成できる箱原板を提供することを第３の課題とする。
【課題を解決するための手段】
【００１５】
本発明は前記第１の課題を解決するため、
電子レンジ加熱可能な食品を密封収容した、前記食品の加熱による内圧上昇により開封される圧抜き部を有する食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記上壁は、該上壁の前後端間の中間の部位、且つ、左右側端間の中間の部位に形成された、上壁後端側へ突出する山形状の中央破断用ライン、前記中央破断用ラインの左端から前記上壁の左側端の前記前壁寄りの部位へ傾斜して延びる左破断用ライン及び前記中央破断用ラインの右端から前記上壁の右側端の前記前壁寄りの部位へ傾斜して延びる右破断用ラインを有しており、
前記左側壁は、前記上壁の左破断用ラインの左端に続いて前記左側壁の前記前壁側且つ前記下壁側の角部へ延びる左側壁破断用ラインを有しており、
前記右側壁は、前記上壁の右破断用ラインの右端に続いて前記右側壁の前記前壁側且つ前記下壁側の角部へ延びる右側壁破断用ラインを有しており、
前記上壁の破断用ラインと、前記左右側壁の破断用ラインと、前記前壁と前記下壁の境界ラインで囲まれた開封用部であって、前記上下壁間に該上下壁間を押し広げようとする突っ張り力が加わることで前記各破断用ラインが破断されて開封される開封用部が形成されている食品密封収容袋包装箱を提供する。
【００１６】
本発明は前記第２の課題を解決するため、
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部よりの部位に前記食品の加熱による内圧上昇により開封される圧抜き部が形成されており、
前記食品密封収容袋包装箱は本発明に係る包装箱であり、
前記食品密封収容袋は前記前辺部が前記包装箱の前壁側に向けられて該包装箱内に収容されている食品密封収容袋包装体を提供する。
【００１７】
本発明に係る食品密封収容袋包装箱によると、その組立て形成とともに内部に食品密封収容袋を収容することができる。
【００１８】
本発明に係る食品密封収容袋包装箱によると、内部に食品密封収容袋を収容した状態で、開封することなく、前記中央及び左右の破断用ラインを有する上壁を下向きにして電子レンジ内トレイに載置し、加熱開始することができる。
【００１９】
食品密封収容袋内の食品が加熱され、それにより発生する蒸気圧で該袋が膨張してくると、この袋の膨張により、互いに対向している前記上壁（電子レンジ内では下向きに配置されている上壁）及び下壁が上下方向に突っ張り力を受け、それにより該上壁及び下壁が次第に箱外側へ向け膨らむよう変形し始め、それにより前記上壁の中央及び左右の破断用ライン並びに該左右の破断用ラインに続く前記左右側壁の破断用ラインが破断され、前記開封用部、すなわち上壁の破断用ラインと、左右側壁の破断用ラインと、前壁と下壁の境界ライン（換言すれば、前壁と下壁の境界稜線）で囲まれた開封用部が開く。
【００２０】
そして、前記上壁及び下壁が上下方向に突っ張り力を受けて箱外側へ向け膨らむよう変形することで、特に、破断用ラインが形成されていない下壁（電子レンジ内では上向きに配置されている下壁）が上方向に箱外側へ向け膨らむよう変形することで、前記のように開かれた開封用部は開かれた状態に維持されやすくなり、前記電子レンジ内トレイから立ち上がるかのような姿勢をとって、前記食品密封収容袋を収容している箱部分を相対的に傾斜姿勢へ持ち上げる。
【００２１】
よって、本発明に係る包装箱の組立て形成とともに内部に食品密封収容袋を収容するにあたり、該袋の前記前辺部（換言すれば、圧抜き部がある前部分）が包装箱の前壁側に向けられるように収容しておけば、上記のように袋を収容している箱部分が傾斜姿勢をとることで、前記圧抜き部が高位置におかれ、該圧抜き部が袋内圧上昇により開封されても、そこから蒸気以外の袋内容物が漏出することは実用上差し支えない程度に抑制され、或いは防止される。
【００２２】
このように本発明に係る包装箱によると、食品密封収容袋を収容したまま電子レンジ内に配置して該袋内食品を電子レンジ加熱することができ、その際、電子レンジ内への配置に先だって、換言すれば電子レンジ加熱に先だって開封しておく必要がなく、開封しないで電子レンジ内に配置して加熱開始でき、それでいて前記袋の圧抜き部からの蒸気以外の袋内容物の流出を実用上差し支えない程度に抑制でき、或いは防止できる。
【００２３】
また本発明に係る食品密封収容袋包装体によると、食品密封収容袋包装箱として本発明に係る包装箱を採用しているので、前記中央及び左右の破断用ラインを有する上壁を下向きにして電子レンジ内トレイに載置し、加熱開始すると、食品密封収容袋内の食品が加熱され、それにより発生する蒸気圧で該袋が膨張してくることで、前記開封用部が開き、食品密封収容袋を収容している箱部分が傾斜姿勢におかれる。
【００２４】
それにより、前記袋の圧抜き部が高位置におかれ、該圧抜き部が袋内圧上昇により開封されても、そこから蒸気以外の袋内容物が漏出することは実用上差し支えない程度に抑制され、或いは防止される。
【００２５】
このように本発明に係る包装体によると、前記包装箱を開封することなく、そのまま電子レンジ内に配置して前記食品密封収容袋内の食品を電子レンジ加熱開始でき、それでいて、前記袋の圧抜き部からの蒸気以外の袋内容物の流出を実用上差し支えない程度に抑制でき、或いは防止できる、
【００２６】
いずれにしても、本発明に係る包装箱における前記上壁の中央及び左右の破断用ライン（全体として  Ｖ字状を呈している中央及び左右の破断用ライン）及び左右側壁の破断用ラインからなる、連続する破断用ラインとしては、代表例として、切断線と該切断線より短い点状破断用部を交互にライン状に配列して形成されているものを挙げることができる。ここで［切断線］とは壁構成材を表裏に貫通するように切断してなる線である。
【００２７】
本発明に係る包装箱では、収容される食品密封収容袋が電子レンジ加熱により膨張して前記上壁及び下壁を上下方向に突っ張るとき、前記左右の側壁も変形可能として該上壁及び下壁が箱外側へ向け膨らみ変形し易くするために、前記左右の各側壁の側壁破断用ラインより側壁後端側の部分に該側壁と前記上壁との境界ライン（換言すれば、側壁と上壁の境界稜線）と並行な側壁折れ曲がり変形補助ラインを形成しておいてもよい。そのようなラインは、例えば、1本の切断線や、間隔をあけて直線状に配列した複数本の切断線等で構成することができる。
【００２８】
本発明は前記第３の課題を解決するため、予め裁断された紙製（紙が主体）の平坦な箱原板を提供する。
この箱原板は平坦な状態において
前記中央及び左右の破断用ラインを含む前記上壁、
前記上壁の左側端に続き、前記左側壁破断用ラインを含む前記左側壁、
前記上壁の右側端に続き、前記右側壁破断用ラインを含む前記右側壁、
前記左側壁の左側端又は前記右側壁の右側端に続く前記下壁、
前記上壁の前端に続く第１の前壁用片、
前記下壁の前端に続く第２の前壁用片、
前記左右の各側壁の前端に続く前フラップ、
前記上壁の後端に続く第１の後壁用片、
前記下壁の後端に続く第２の後壁用片
前記左右の各側壁の後端に続く後ろフラップ及び
前記左右側壁のいずれか又は前記下壁に続く糊代片を含んでいる。
【００２９】
この箱原板によると、前記右側壁、前記上壁、前記左側壁、前記下壁及び前記糊代片を隣り合うものの境目で順次折り曲げるとともに前記糊代片を介して前記左右側壁のいずれかと前記下壁を接続し、前記前フラップをそれぞれ内側へ折り曲げ、該前フラップ上に前記第１及び第２の前壁用片を曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着して前記食品密封収容袋包装箱を形成することができる。
【００３０】
この箱原板においても、前記上壁の破断用ライン及び左右側壁の破断用ラインからなる、連続する破断用ラインは、切断線と該切断線より短い点状破断用部を交互にライン状に配列して形成されていてもよい。
【００３１】
前記左右の各側壁の側壁破断用ラインより側壁後端側の部分に、該側壁と前記上壁との境界ラインと並行な側壁折れ曲がり変形補助ラインが形成されていてもよい。
また、前記前フラップに曲げ重ねられる前記第１及び第２の前壁用片のうち少なくとも一方を該前フラップに接着してもよい。
【発明の効果】
【００３２】
以上説明したように本発明によると、
電子レンジ加熱可能な食品を密封収容した、前記食品の加熱による内圧上昇により開封される圧抜き部を有する食品密封収容袋を包装するための食品密封収容袋包装箱であって、該食品密封収容袋を収容したまま電子レンジ内に配置して該袋内食品を電子レンジ加熱することができ、その際、電子レンジ内への配置に先だって、換言すれば電子レンジ加熱に先だって開封しておく必要がなく、開封しないで電子レンジ内に配置して加熱開始でき、それでいて前記袋の圧抜き部からの蒸気以外の袋内容物の流出を実用上差し支えない程度に抑制でき、或いは防止できる、消費者にとって便利な食品密封収容袋包装箱を提供することができる。
【００３３】
また、本発明によると、電子レンジ加熱可能な食品を密封収容した、前記食品の加熱による内圧上昇により開封される圧抜き部を有する食品密封収容袋を食品密封収容袋包装箱に収容した食品密封収容袋包装体であって、前記包装箱を開封することなく、そのまま電子レンジ内に配置して前記食品密封収容袋内の食品を電子レンジ加熱開始でき、それでいて、前記袋の圧抜き部からの蒸気以外の袋内容物の流出を実用上差し支えない程度に抑制でき、或いは防止できる、消費者にとって便利な食品密封収容袋包装体を提供することができる。
【００３４】
また、本発明によると、本発明に係る食品密封収容袋包装箱を形成できる箱原板を提供できる。
【図面の簡単な説明】
【００３５】
【図１】本発明に係る食品密封収容袋包装体の１例の上面図である。
【図２】図１の食品密封収容袋包装体の下面図である。
【図３】図１の包装体の左側面図である。
【図４】図１の包装体の右側面図である。
【図５】図１の包装体の前面図である。
【図６】図１の包装体の後面図である。
【図７】食品密封収容袋の１例の上面図である。
【図８】食品密封収容袋包装箱の組み立て前の箱原板例を示す図である。
【図９】図１の食品密封収容袋包装体を電子レンジ加熱するときの姿勢例を示す図である。
【図１０】図９の包装体を包装箱の開いた開封部側から見た斜視図である。
【発明を実施するための形態】
【００３６】
図１は本発明に係る食品密封収容袋包装体の１例１００を示す図であり、図１〜図６は同包装体の上面図、下面図、左側面図、右側面図、前面図、後面図である。図７は食品密封収容袋の１例の上面図である。
【００３７】
図示の包装体１００は電子レンジ加熱可能な食品を密封収容した食品密封収容袋２を食品密封収容袋包装箱１に収容したものである。
【００３８】
食品密封収容袋２は図７に示すように、マイクロ波透過可能なフィルムｆで形成され、内部に電子レンジ加熱可能な食品Ｆが収容されているとともに前辺部２１、前辺部２１に対向する後辺部２２及び前後辺部２１、２２間に延びる左右側辺部２３を含む周辺部２０が密封されて扁平矩形状を呈している。
【００３９】
前辺部２１と左側辺部２３で提供される前側コーナ部位２４に食品Ｆの加熱による内圧上昇により開封される圧抜き部２５が形成されている。圧抜き部２５は本例では図７に示すように、袋本体を構成している重ねられたフィルムｆの一部をヒートシール２５１し、該ヒートシール部分２５１の中央部に透孔２５２を形成したものである。
【００４０】
ヒートシール部分２５１は電子レンジ加熱時の袋本体内気圧上昇で、袋が破裂しない安全圧力範囲内でフィルムｆ間を剥がして袋内を孔２５２へ連通させることができる部分であり、周辺部２０より弱い弱シール部である。
【００４１】
食品密封収容袋包装箱１は、図１〜図６に示すように、上壁１１と、上壁１１の左側端１１３に上端が連続する左側壁１２と、上壁１１の右側端１１４に上端が連続する右側壁１３と、左右側壁１２、１３の下端に連続し、上壁１１に対向する下壁１４と、前記各壁の前端に続く前壁１５及び後端に続く後壁１６を含んでいる。包装箱１は左右側壁１２、１３間距離及び前後壁１５、１６間距離より上下壁１１、１４間距離が短い扁平直方体形状を呈している。
【００４２】
図１に示されるように、上壁１１には、中央破断用ラインＣ１１と、ラインＣ１１の左端に続く左破断用ラインＣ１２と、ラインＣ１１の右端に続く右破断用ラインＣ１３が形成されている。
【００４３】
中央破断用ラインＣ１１は上壁１１の前後端１１１、１１２間の中間の部位（本例では丁度中間より若干前端１１１よりの部位）、且つ、上壁１１の左右側端１１３、１１４間の丁度中間部位に形成されており、上壁後端１１２側へ突出する山形状（本例では円弧状の山形状）の破断用ラインである。
【００４４】
左破断用ラインＣ１２は中央破断用ラインＣ１１の左端から上壁１１の左側端１１３の前壁１５寄りの部位へ傾斜して延びている。
右破断用ラインＣ１３は中央破断用ラインＣ１１の右端から上壁１１の右側端１１４の前壁１５寄りの部位へ傾斜して延びている。
【００４５】
左側壁１２は、図３に示されるように、上壁１１の左破断用ラインＣ１２の左端に続いて左側壁１２の前壁１５側、且つ、下壁１４側の角部Ｋ２へ向け、その僅かに手前まで延びる左側壁破断用ラインＣ２を有している。左側壁１２はさらに側壁折れ曲がり変形補助ラインＣ２０を有している。ラインＣ２０は左側壁破断用ラインＣ２より側壁後端側（換言すれば後壁１６側）の部分に側壁１２と上壁１１との境界ライン（換言すれば上壁１１の左側端１１３）と並行に形成されている。
【００４６】
前記右側壁１３は、図４に示されるように、上壁１１の右破断用ラインＣ１３の右端に続いて右側壁１３の前壁１５側、且つ、下壁１４側の角部Ｋ３へ向け、その僅かに手前まで延びる右側壁破断用ラインＣ３を有している。右側壁１３はさらに側壁折れ曲がり変形補助ラインＣ３０を有している。ラインＣ３０は右側壁破断用ラインＣ３より側壁後端側（換言すれば後壁１６側）の部分に側壁１３と上壁１１との境界ライン（換言すれば上壁１１の右側端１１４）と並行に形成されている。
【００４７】
包装箱１における上壁１１の破断用ラインＣ１１、Ｃ１２、Ｃ１３及び左右側壁１２、１３の破断用ラインＣ２、Ｃ３からなる、連続する破断用ラインは、切断線ａ１、ａ２、ａ３、ａ４、ａ５、ａ６と該切断線より短い点状破断用部ｂ、ｂ１、ｂ２、ｂ３を交互にライン状に配列して形成されている。ここで［切断線］とは壁構成材を表裏に貫通するように切断してなる線である。上壁１１から側壁１２（１３）に続く切断線ａ４、ａ５はそれらの間に点状破断用部があってもよいが、本例では連続させてあり、それにより、全体として連続する破断用ラインＣ１１、Ｃ１２、Ｃ１３、Ｃ２、Ｃ３が後述する袋加熱膨張でより確実に破断されるようにしてある。
側壁１２，１３の折れ曲がり変形補助ラインＣ２０、Ｃ３０は本例では２本の真っすぐな切断線を間隔をあけて配列したものである。
なお、破断用ラインＣ１１、Ｃ１２、Ｃ１３、Ｃ２、Ｃ３のそれぞれは切断線をミシン目様に間隔を開けて配列した様なものでもよい。
【００４８】
上壁１１の破断用ラインＣ１１、Ｃ１２、Ｃ１３と、左右側壁１２、１３の破断用ラインＣ２、Ｃ３と、前壁１５と下壁１４の境界ライン（換言すれば下壁１４の前端１４１、図２も参照）で囲まれた部分で開封用部Ｄ（図１参照）が提供されている。
【００４９】
この包装箱１は、図８に示す予め裁断された紙製の（主として紙で形成されている）平坦な箱原板１０を折り曲げ、接着して形成されている。
箱原板１０は図８に示す平坦な状態において次のように構成されている。すなわち、
中央及び左右の破断用ラインＣ１１、Ｃ１２、Ｃ１３を含む上壁１１、
上壁１１の左側端１１３に続き、左側壁破断用ラインＣ２及び側壁折れ曲がり変形補助ラインＣ２０を含む左側壁１２、
上壁１１の右側端１１４に続き、右側壁破断用ラインＣ３及び側壁折れ曲がり変形補助ラインＣ３０を含む右側壁１３、
左側壁１２の左側端１２０に続く下壁１４、
右側壁１３の右側端１３０に続く糊代片１７、
上壁１１の前端１１１に続く第１前壁用片１５１、
下壁１４の前端１４１に続く第２前壁用片１５２、
左右の側壁１２、１３の前端に続く前フラップ１２１、１３１、
上壁１１の後端１１２に続く第１後壁用片１６１、
下壁１４の後端１４２に続く第２後壁用片１６２及び
左右の側壁１２、１３の後端に続く後ろフラップ１２２，１３２を含んでいる。
【００５０】
そして、糊代片１７、右側壁１３、上壁１１、左側壁１２及び下壁１４が隣り合うものの境目で順次折り曲げられるとともに糊代片１７の上に下壁１４が重ねられてホットメルトグルーのような接着剤で接着される。
【００５１】
さらに、前フラップ１２１、１３１がそれぞれ内側へ折り曲げられ、それらの上に、本例では第２及び第１の前壁用片１５２，１５１がこの順序で曲げ重ねられるとともに前壁用片１５２、１５１が前記と同様の接着剤で接着される。
【００５２】
さらに、後ろフラップ１２２，１３２がそれぞれ内側へ折り曲げられ、それらの上に、本例では第２及び第１の後壁用片１６２，１６１がこの順序で曲げ重ねられるとともに後壁用片１６２，１６１が前記と同様の接着剤で接着され、最終的に食品密封収容袋包装箱１が形成される。
【００５３】
前記開封用部Ｄをより安定構造化するために、前フラップ１２１、１３１とその上に重ねられる第２前壁用片１５２を接着してもよい。さらに、第２前壁用片１５２の前フラップ１２１、１３１に重なる部分に透孔を形成しておいて、その孔を通じて前フラップ１２１、１３１と第１前壁用片１５１を接着してもよい。
【００５４】
後ろフラップ１２２、１３２とその上に重ねられる第２後壁用片１６２を接着してもよい。さらに、第２後壁用片１６２の後ろフラップ１２２、１３２に重なる部分に透孔を形成しておいて、その孔を通じて後ろフラップ１２２、１３２と第１後壁用片１６１を接着してもよい。
なお、前記糊代片１７は下壁１４に続けて形成されてもよく、また、下壁１４が側壁１３に続けて形成されるとともに糊代片１７が側壁１２又は下壁１４に続けて形成されてもよい。
【００５５】
以上説明した食品密封収容袋包装箱１によると、その組立て形成とともに内部に食品密封収容袋２を収容して食品密封収容袋包装体１００を提供することができる。包装体１００では、食品密封収容袋２は圧抜き部２５のある前側部分が包装箱１の前壁１５に向けられている。
【００５６】
図９は食品密封収容袋包装体１００を電子レンジ加熱するときの姿勢例を示している。図１０は図９の包装体１００を包装箱１の開いた開封部Ｄ側から見た斜視図である。
【００５７】
食品密封収容袋包装箱１によると、内部に食品密封収容袋２を収容した状態で、開封することなく、中央及び左右の破断用ラインＣ１１、Ｃ１２、Ｃ１３を有する上壁１１を下向きにして電子レンジ内トレイＴに載置し、加熱開始することができる。食品密封収容袋２内の食品Ｆが加熱され、それにより発生する蒸気圧で袋２が膨張してくる。
【００５８】
この袋２の膨張により、図９に示すように、互いに対向している上壁１１（電子レンジ内では下向きに配置されている上壁１１）及び下壁１４が上下方向に突っ張り力を受け、それにより上壁１１及び下壁１４が次第に箱外側へ向け上下に膨らむように変形し始める。それにより上壁１１の中央及び左右の破断用ラインＣ１１、Ｃ１２、Ｃ１３並びに該左右の破断用ラインに続く左右側壁１２、１３の破断用ラインＣ２、Ｃ３が破断され、前記開封用部Ｄ、すなわち上壁１１の破断用ラインＣ１１、Ｃ１２、Ｃ１３と、左右側壁の破断用ラインＣ２、Ｃ３と、前壁１５と下壁１４の境界ライン１４１で囲まれた開封用部Ｄが開く。
【００５９】
そして、上壁１１及び下壁１４が上下方向に突っ張り力を受けて箱外側へ向け膨らむよう変形することで、特に、破断用ラインが形成されていない下壁１４（電子レンジ内では上向きに配置されている下壁１４）が上方向に箱外側へ向け膨らむよう変形することで、前記のように開かれた開封用部Ｄは開かれた状態に維持されやすくなり、前記電子レンジ内トレイＴから立ち上がるかのような姿勢をとって、食品密封収容袋２を収容している箱部分１１０を相対的に傾斜姿勢へ持ち上げる。
【００６０】
よって、包装箱１の組立て形成とともに内部に食品密封収容袋２を収容するにあたり、該袋２の圧抜き部２５が包装箱１の前壁１５側に向けられるように収容しておけば、上記のように袋２を収容している箱部分１１０が傾斜姿勢をとることで、圧抜き部２５が高位置におかれ、圧抜き部２５が袋内圧上昇により開封されても、そこから蒸気以外の袋内容物が漏出することは実用上差し支えない程度に抑制され、或いは防止される。
【００６１】
このように包装箱１によると、食品密封収容袋２を収容したまま電子レンジ内に配置して該袋内食品Ｆを電子レンジ加熱することができ、その際、電子レンジ内への配置に先だって、換言すれば電子レンジ加熱に先だって開封しておく必要がなく、開封しないで電子レンジ内に配置して加熱開始でき、それでいて袋２の圧抜き部２５からの蒸気以外の袋内容物の流出を実用上差し支えない程度に抑制でき、或いは防止できる。
【００６２】
また、食品密封収容袋包装体１００によると、食品密封収容袋包装箱として包装箱１を採用しているので、前記破断用ラインＣ１１、Ｃ１２、Ｃ１３を有する上壁１１を下向きにして電子レンジ内トレイＴに載置し、加熱開始すると、食品密封収容袋２内の食品Ｆが加熱され、それにより発生する蒸気圧で袋２が膨張してくることで、前記開封用部Ｄが開き、食品密封収容袋２を収容している箱部分が傾斜姿勢におかれる。
【００６３】
それにより、袋２の圧抜き部２５が高位置におかれ、圧抜き部２５が袋内圧上昇により開封されても、そこから蒸気以外の袋内容物が漏出することは実用上差し支えない程度に抑制され、或いは防止される。
【００６４】
このように包装体１００によると、包装箱１を開封することなく、そのまま電子レンジ内に配置して食品密封収容袋２内の食品Ｆを電子レンジ加熱開始でき、それでいて、袋２の圧抜き部２５からの蒸気以外の袋内容物の流出を実用上差し支えない程度に抑制でき、或いは防止できる、
【産業上の利用可能性】
【００６５】
本発明は電子レンジ加熱可能な食品を密封収容した食品密封収容袋を包装する食品密封収容袋包装箱及び前記食品密封収容袋を前記食品密封収容袋包装箱に収容した食品密封収容袋包装体並びに包装箱を形成するための箱原板を提供することに利用できる。
【符号の説明】
【００６６】
１００  食品密封収容袋包装体
１  食品密封収容袋包装箱
１０  箱原板
１１  上壁
１１１  上壁前端
１１２  上壁後端
１１３  上壁左側端
１１４  上壁右側端
Ｃ１１  上壁の中央破断用ライン
Ｃ１２、Ｃ１３  上壁の左右の破断用ライン
１２  左側壁
Ｋ２  左側壁の角部
Ｃ２  左側壁の破断用ライン
Ｃ２０  側壁折れ曲がり変形補助ライン
１３  右側壁
Ｋ３  右側壁の角部
Ｃ３  右側壁の破断用ライン
Ｃ３０  側壁折れ曲がり変形補助ライン
ａ１〜      ａ６  切断線
ｂ、ｂ１〜ｂ３  点状破断用部
１４  下壁
１５  前壁
１２１、１３１  前フラップ
１５１，１５２  前壁用片
１６  後壁
１２２、１３２  後ろフラップ
１６１，１６２  後壁用片
１７  糊代片
２  食品密封収容袋
ｆ  フィルム
２０  周辺部
２１  前辺部
２２  後辺部
２３  側辺部
２４  コーナ部位
２５  圧抜き部
Ｆ  食品
【図１】
2013018501.tif 000003
【図２】
2013018501.tif 000004
【図３】
2013018501.tif 000005
【図４】
2013018501.tif 000006
【図５】
2013018501.tif 000007
【図６】
2013018501.tif 000008
【図７】
2013018501.tif 000009
【図８】
2013018501.tif 000010
【図９】
2013018501.tif 000011
【図１０】
2013018501.tif 000012